(57)【要約】      （修正有）【課題】立体的形状が際立つ形状を有するズボン型衣類を提供する。【解決手段】ズボン型衣類であるジーンズは、それぞれが上端部１１、２１、３１、４１、下端部１２、２２、３２、４２、外側端部１３、２３、３３、４３及び内側端部１４、２４、３４、４４を有する一対の前身頃１０、３０及び一対の後身頃２０、４０を有する。前身頃の外側端部は、上端部付近から膝部１５，３５付近にかけて外側に凸の第１曲線部Ｃ１と、膝部付近から下端部付近にかけて内側に凸の第２曲線部Ｃ２を有し、後身頃の外側端部は、膝部２５，４５付近において外側に凸の第３曲線部Ｃ３を有し、前身頃の外側端部と後身頃の外側端部が縫合され、また前身頃の内側端部の股下部分と後身頃の内側端部の股下部分が縫合されている。これにより、完成されたジーンズは立体的形状が際立つ形状を有することができる。【選択図】図２
0003185829.tif 000002
【実用新案登録請求の範囲】
【請求項１】
それぞれが上端部、下端部、外側端部及び内側端部を有する一対の前身頃及び一対の後身頃を有し、
前記前身頃の外側端部は、上端部付近から膝部付近にかけて外側に凸の第１曲線部と、前記膝部付近から下端部付近にかけて内側に凸の第２曲線部を有し、
前記後身頃の外側端部は、前記膝部付近において外側に凸の第３曲線部を有し、
前記前身頃の外側端部と前記後身頃の外側端部が縫合され、また前記前身頃の内側端部の股下部分と前記後身頃の内側端部の股下部分が縫合されているズボン型衣類。
【請求項２】
前記前身頃の内側端部は、股下部分において、外側に凸の第４曲線部と内側に凸の第５曲線部を有し、
前記後身頃の内側端部は、股下部分に位置する外側に凸の第６曲線部を有する請求項１に記載のズボン型衣類。
【請求項３】
前記前身頃の外側端部と内側端部、前記後身頃の外側端部と内側端部は、膝部から下端部に進むに従いそれぞれ互いに近付くようにされている請求項１又は請求項２に記載のズボン型衣類。
【考案の詳細な説明】
【技術分野】
【０００１】
本考案は、ズボン型衣類についての技術分野に関する。
【先行技術文献】
【特許文献】
【０００２】
【特許文献１】特開２００９−１２１００８号公報
【特許文献２】特開２００８−２６６８３９号公報
【特許文献３】実用新案登録第３１０２７６５号公報
【背景技術】
【０００３】
これまでにも、前身頃、後身頃と呼ばれる部材を含む複数の布地の端部同士を縫い合わせることによりズボンを製造することが行われている（例えば、特許文献１乃至３参照）。
【考案の概要】
【考案が解決しようとする課題】
【０００４】
しかしながら、上記各文献に記載の布生地の各端部の形状は直線的な部分が多くを占めていた。そのため、これらの布地を縫い合わせることにより形成されたズボンは、立体的形状が際立つものではなかった。
【０００５】
そこで、本考案は、上記した問題点を克服し、立体的形状が際立つ形状を有するズボンを提供することを目的とする。
【課題を解決するための手段】
【０００６】
第１に、本考案に係るズボン型衣類は、それぞれが上端部、下端部、外側端部及び内側端部を有する一対の前身頃及び一対の後身頃を有し、前記前身頃の外側端部は、上端部付近から膝部付近にかけて外側に凸の第１曲線部と、前記膝部付近から下端部付近にかけて内側に凸の第２曲線部を有し、前記後身頃の外側端部は、前記膝部付近において外側に凸の第３曲線部を有し、前記前身頃の外側端部と前記後身頃の外側端部が縫合され、また前記前身頃の内側端部の股下部分と前記後身頃の内側端部の股下部分が縫合されているものである。
このように、凹凸形状を有する布地の端部が縫合されて、前側ライン及び後側ラインが形成される。第１、第２曲線部と第３曲線部は前側ラインを特徴づける。
【０００７】
第２に、上記した本考案に係るズボン型衣類においては、前記前身頃の内側端部は、股下部分において、外側に凸の第４曲線部と内側に凸の第５曲線部を有し、前記後身頃の内側端部は、股下部分に位置する外側に凸の第６曲線部を有することが望ましい。
第４、第５曲線部と第６曲線部は後側ラインを特徴づける。
【０００８】
第３に、上記した本考案に係るズボン型衣類においては、前記前身頃の外側端部と内側端部、前記後身頃の外側端部と内側端部は、膝部から下端部に進むに従いそれぞれ互いに近付くようにされていることが望ましい。
これにより、股下部分の幅が膝部から踝にかけて徐々に狭くなる。
【考案の効果】
【０００９】
本考案によれば、ズボン型衣類は凹凸形状を有する布地の端部が縫合されるため、完成されたズボン型衣類は立体的形状が際立つ形状を有することができる。
【図面の簡単な説明】
【００１０】
【図１】実施の形態のジーンズの正面図及び背面図である。
【図２】右前身頃、右後身頃、左前身頃、左後身頃を示す図である。
【図３】右前身頃及び右後身頃の身幅の大小関係を示す図である。
【考案を実施するための形態】
【００１１】
以下に、本考案ズボン型衣類を実施するための形態について添付図面を参照して説明する。
【００１２】
以下の説明では、ズボン型衣類はジーンズ（Ｇパン）であるとして説明する。図１Ａは実施の形態のジーンズ１の正面図、図１Ｂは実施の形態のジーンズ１の背面図である。図１Ａ、図１Ｂに示されるように、ジーンズ１は、右前身頃１０、右後身頃２０、左前身頃３０、左後身頃４０、ベルト部５０、脇ポケット部５１、５２、後ヨーク部５３、５４及びその他図示省略の部材を有して構成されている。
右前身頃１０は、着用者の右足を前側から覆う布地であり、右後身頃２０は、着用者の右足を後側から覆う布地である。左前身頃３０は、着用者の左足を前側から覆う布地であり、左後身頃４０は、着用者の左足を後側から覆う布地である。
右前身頃１０と右後身頃２０が縫合されることにより前側ラインＬ１及び後側ラインＬ３が形成され、左前身頃３０と左後身頃４０が縫合されることにより前側ラインＬ２及び後側ラインＬ４が形成される。前側ラインＬ１及び前側ラインＬ２はウエスト付近から踝にかけて伸び、後側ラインＬ３及び後側ラインＬ４は股下付近から踝にかけて伸びている。
ここで、以下の説明では、ジーンズ１においてウエスト側を上側、踝側の下側と定義して説明する。また、左前身頃３０にはファスナー部が設けられ、このファスナー部が設けられている側を前側とする。なお、前側ラインＬ１、前側ラインＬ２、後側ラインＬ３、後側ラインＬ４の形成過程及び役割は後述する。
【００１３】
ジーンズ１の上側端部付近には、ベルト部５０が設けられている。すなわち、ベルト部５０は着用者のウエスト部分に位置し、ベルト部５０には図示しないベルトを通す複数のベルト通し５０ａ、５０ａ、・・・が設けられている。ジーンズ１の上側の両脇には、脇ポケット部５１、５２が設けられている。脇ポケット部５１、５２付近の縫製強度を上げるために、前側ラインＬ１１、前側ラインＬ２１が補強的に設けられている。ジーンズ１の後ろ側であって、右後身頃２０及び左後身頃４０とベルト部５０との間には、それぞれ後ヨーク部５３、５４が設けられている。
【００１４】
続いて、ジーンズ１の主たる構成部材である右前身頃１０、右後身頃２０、左前身頃３０、左後身頃４０について説明する。図２Ａに右前身頃１０、右後身頃２０を、図２Ｂに左前身頃３０、左後身頃４０を示す。なお、右前身頃１０と左前身頃３０、右後身頃２０と左後身頃４０は一対の左右対称な形状を有した部材であるため、以下の説明では右前身頃１０及び右後身頃２０について説明し、左前身頃３０及び左後身頃４０の詳しい説明は省略する。
【００１５】
図２Ａに示されるように、右前身頃１０は、上端部１１、下端部１２、外側端部１３及び内側端部１４を有している。着用時には、上端部１１はウエスト付近に位置し、下端部１２は踝付近に位置する。右前身頃１０の外側において、上端部１１付近における脇ポケット部を除いた箇所に生じた曲線の外側端部を頂点Ｐとし、右前身頃１０の内側において股上部分と股下部分の境界を頂点Ｑとした場合、外側端部１３は頂点Ｐから下端部１２にかけて伸び、内側端部１４は上端部１１から頂点Ｑを経由して下端部１２にかけて伸びている。
【００１６】
外側端部１３は、第１曲線部Ｃ１と第２曲線部Ｃ２を有している。第１曲線部Ｃ１は、上端部１１付近に位置する頂点Ｐから膝部１５付近にかけての外側に凸の緩やかな湾曲線であり、第２曲線部Ｃ２は膝部１５付近から下端部１２付近にかけての内側に凸の緩やかな湾曲線である。また、第２曲線部Ｃ２は第１曲線部Ｃ１よりも緩やかに湾曲している。すなわち、第１曲線部Ｃ１と第２曲線部Ｃ２は頂点Ｐと下端部１２を結ぶ連続した１本の曲線であり、頂点Ｐと下端部１２の中間部付近を境として湾曲する方向が逆となり、湾曲の程度（曲率）も異なっている。なお、第１曲線部Ｃ１と第２曲線部Ｃ２の間、更には頂点Ｐと第１曲線部Ｃ１、第２曲線部Ｃ２と下端部１２との間に他の曲線や直線が介在することにより第１曲線部Ｃ１と第２曲線部Ｃ２が分離することとしてもよい。
【００１７】
内側端部１４は、股下部分において第４曲線部Ｃ４と第５曲線部Ｃ５を有している。第４曲線部Ｃ４は頂点Ｑから膝部１５の上側付近にかけて位置する外側に凸の緩やかな湾曲線であり、第５曲線部Ｃ５は膝部１５付近が内側に凸の緩やかな湾曲線である。すなわち、第４曲線部Ｃ４と第５曲線部Ｃ５は頂点Ｑと下端部１２を結ぶ連続した１本の曲線であり、途中で湾曲する方向が逆となっている。なお、上記第１曲線部Ｃ１及び第２曲線部Ｃ２と同様、第４曲線部Ｃ４と第５曲線部Ｃ５が分離して位置することとしてもよい。
【００１８】
ここで、右前身頃１０における股上部分と股下部分の長さの比率は、一般的なズボンと異なっている。具体的には、一般的なズボンであれば、股上部分の曲線部と股下部分の曲線部が１：４であるとした場合、右前身頃１０の股上部分の長さ：右前身頃１０の股下部分の長さは１：３程度であるとされている。つまり、一般的なズボンよりもズボン全体に占める股上部分の割合が大きくなっており、いわゆるサルエルパンツの１つの特徴を備えている。なお股上部分の長さ：股下部分の長さは１：３程度であるとしたが、この比率に限定されるものではない。但し、ジーンズ１がサルエルパンツである場合には、ジーンズ１における股上部分の長さの比率が一般的なズボンと比較して大きいものであれば良い。
【００１９】
次に、右前身頃１０の寸法について説明する。下端部１２の身幅は頂点Ｑにおける身幅よりも狭く、膝部１５の身幅は下端部１２の身幅以上である。また、膝部１５付近から下端部１２にかけて徐々に狭まる形状である。すなわち、図３に示されるように、頂点Ｑにおける身幅をＡ、膝部１５の身幅をＢ、膝部１５と下端部１２の中間部分付近の身幅をＣ、下端部１２の身幅をＤとした場合、
Ａ≧ＤかつＢ≧Ｃ≧Ｄ
となるような大小関係が成立している。このため、外側端部１３と内側端部１４は、膝部１５から下端部１２に進むに従い互いに近付くようにされている。
【００２０】
続いて、右後身頃２０について説明する。図２Ａに示されるように、右後身頃２０は、上端部２１、下端部２２、外側端部２３及び内側端部２４を有している。上端部２１は後ヨーク部５４と縫合され、下端部２２は踝付近に位置している。外側端部２３は、右後身頃２０の外側において上端部２１から下端部２２にかけて伸び、内側端部２４は、右後身頃２０の内側において上端部２１から頂点Ｒを経由して下端部２２にかけて伸びている。なお、右後身頃２０には、右後ポケット２６が外側から縫い付けられている。
【００２１】
外側端部２３は、膝部２５付近において外側に凸の緩やかに湾曲する第３曲線部Ｃ３を有している。内側端部２４は、股下部分に外側に凸の緩やかな湾曲線である第６曲線部Ｃ６を有している。すなわち、内側端部２４の股上部分と股下部分の境界を頂点Ｒとした場合、第６曲線部Ｃ６は頂点Ｒと下端部２２を結ぶ連続した曲線である。また、第６曲線部Ｃ６の長さは右前身頃１０の内側端部１４の股下部分の長さとほぼ等しくされている。
【００２２】
次に、右後身頃２０の寸法について説明する。下端部２２の身幅は頂点Ｒにおける身幅よりも狭く、膝部２５の身幅は下端部２２の身幅以上である。また、膝部２５付近から下端部２２にかけて徐々に狭まる形状である。すなわち、図３に示されるように、頂点Ｒにおける身幅をａ、膝部２５の身幅をｂ、膝部２５と下端部２２の中間部分付近の身幅をｃ、下端部２２の身幅をｄとした場合、
ａ≧ｄかつｂ≧ｃ≧ｄ
となるような大小関係が成立している。このため、外側端部２３と内側端部２４は、膝部２５から下端部２２に進むに従いそれぞれ互いに近付くようにされている。
【００２３】
左前身頃３０、左後身頃４０については図２Ｂに示しているが、左前身頃３０は、上端部３１、下端部３２、外側端部３３、内側端部３４及び膝部３５を有しており、右前身頃１０と左右対称の形状を有している。左後身頃４０は、上端部４１、下端部４２、外側端部４３、内側端部４４及び膝部４５を有しており、右後身頃２０と左右対称の形状を有している。左前身頃３０の寸法及び形状は右前身頃１０と同様であり、左後身頃４０の寸法及び形状は右後身頃２０と同様である。また、左後身頃４０には、左後ポケット４６が外側から縫い付けられている。
【００２４】
上記説明した本実施の形態のジーンズ１では、右前身頃１０、右後身頃２０、左前身頃３０、左後身頃４０が縫合されている。すなわち、右前身頃１０の外側端部１３と右後身頃２０の外側端部２３が縫合され、左前身頃３０の外側端部３３と左後身頃４０の外側端部４３が縫合される。右前身頃１０の内側端部１４の股下部分と右後身頃２０の内側端部２４の股下部分が縫合される。左前身頃３０の内側端部３４の股下部分と左後身頃４０の内側端部４４の股下部分が縫合される。
そして、図１に示されるように、右前身頃１０の外側端部１３（第１曲線部Ｃ１及び第２曲線部Ｃ２）と右後身頃２０の外側端部２３（第３曲線部Ｃ３）が縫合されることにより、前側ラインＬ１が形成される。左前身頃３０の外側端部３３と左後身頃４０の外側端部４３が縫合されることにより、前側ラインＬ２が形成される。右前身頃１０の内側端部１４（第４曲線部Ｃ４及び第５曲線部Ｃ５）と右後身頃２０の内側端部２４（第６曲線部Ｃ６）が縫合されることにより、後側ラインＬ３が形成される。左前身頃３０の内側端部３４と左後身頃４０の内側端部４４が縫合されることにより、後側ラインＬ４が形成される。
【００２５】
上記の通り、外側端部１３、２３、３３、４３、内側端部１４、２４、３４、４４がそれぞれ上述の曲線Ｃ１〜Ｃ６を有しているため、これらにより形成される前側ラインＬ１、前側ラインＬ２、後側ラインＬ３、後側ラインＬ４の各ラインも曲線をなす。また、ジーンズ１が着用された場合には、それぞれ前側ラインＬ１、前側ラインＬ２、後側ラインＬ３、後側ラインＬ４の凸部分が左右方向のみならず前後方向にも凸となるよう機能する。従って、着用者がジーンズ１を着用する際、前側ラインＬ１、前側ラインＬ２、後側ラインＬ３、後側ラインＬ４の各ラインによりジーンズ１の立体的形状を際立たせることができる。
【００２６】
以上説明した通り、本実施の形態では、ジーンズ１右前身頃１０の外側端部１３は、上端部１１付近から膝部１５付近にかけて外側に凸の第１曲線部Ｃ１と、膝部１５付近から下端部１２付近にかけて内側に凸の第２曲線部Ｃ２を有している。右後身頃２０の外側端部２３は、膝部２５付近において外側に凸の第３曲線部Ｃ３を有している。右前身頃１０の外側端部１３と右後身頃２０の外側端部２３が縫合され、また右前身頃１０の内側端部１４の股下部分と右後身頃２０の内側端部２４の股下部分が縫合されている。また、右前身頃１０と左前身頃３０が一対をなし、右後身頃２０と左後身頃４０が一対をなしているため、左前身頃３０及び左後身頃４０にあっても、右前身頃１０及び右後身頃２０と同様の縫合がなされる。このような構成により形成されたジーンズ１は、立体的形状が際立つ形状となる。
【００２７】
また、本実施の形態では、ジーンズ１の右前身頃１０の内側端部１４は、股下部分において、外側に凸の第４曲線部Ｃ４と、内側に凸の第５曲線部Ｃ５を有している。右後身頃２０の内側端部２４は、股下部分に位置する外側に凸の第６曲線部Ｃ６を有している。また、左前身頃３０及び左後身頃４０にあっても、右前身頃１０及び右後身頃２０と同様に形成されている。このため、股下部分において曲線部同士が縫合されることから、ジーンズ１の立体的形状がより際立つ形状となる。
【００２８】
さらに、本実施の形態では、ジーンズ１の右前身頃１０の外側端部１３と内側端部１４、右後身頃２０の外側端部２３と内側端部２４は、膝部１５及び膝部２５から下端部１２及び下端部２２に進むに従いそれぞれ近付くようにされている。また、ジーンズ１の左前身頃３０及び左後身頃４０においても同様に形成されている。このため、スリムタイプのジーンズにおいても立体的形状を際立たせることができる。
【００２９】
尚、上記実施の形態では、頂点Ｑにおける身幅をＡ、膝部１５の身幅をＢ、膝部１５と下端部１２の中間部分付近の身幅をＣ、下端部１２の身幅をＤとした場合、
Ａ≧ＤかつＢ≧Ｃ≧Ｄ
となるような大小関係が成立しているとしたが、この大小関係に限定されなくてもよい。また、右後身頃２０には右後ポケット２６が設けられなくても良く、左後身頃４０には左後ポケット４６が設けられなくても良い。
【符号の説明】
【００３０】
１…ジーンズ、１０…右前身頃、１１…上端部、１２…下端部、１３…外側端部、１４…内側端部、１５…膝部、Ｃ１…第１曲線部、Ｃ２…第２曲線部、Ｃ４…第４曲線部、Ｃ５…第５曲線部、２０…右後身頃、２１…上端部、２２…下端部、２３…外側端部、２４…内側端部、２５…膝部、Ｃ３…第３曲線部、Ｃ６…第６曲線部、３０…左前身頃、３１…上端部、３２…下端部、３３…外側端部、３４…内側端部、３５…膝部、４０…左後身頃、４１…上端部、４２…下端部、４３…外側端部、４４…内側端部、４５…膝部
【図１】
0003185829.tif 000003
【図２】
0003185829.tif 000004
【図３】
0003185829.tif 000005